(57)【特許請求の範囲】
【請求項１】
一般式（Ｉ）で表されるインドリルアザフタリド化合物。
一般式（Ｉ）
【化１】
0003739837.tif 000025
上式中Ｒ1 、Ｒ2 は各々同一でも異なっていてもよく、水素原子、アルキル基、シクロアルキル基、アラルキル基またはアリール基を表す。但し、Ｒ1 とＲ2が同時に水素原子を表すことはない。Ｒ3 は、ＯＲ4 またはＮＨＲ5 を表し、このうちＲ4 はアルキル基、シクロアルキル基、アラルキル基またはアリール基を、Ｒ5 はアルキル基、シクロアルキル基、アラルキル基、アリール基またはアシル基を表す。Ｒ4 及びＲ5 は、アルキル基、アルコキシ基またはハロゲン原子で置換されていてもよい。また、Ｒ4 及びＲ5 は、２分子のインドリルアザフタリド化合物を連結したビス型構造を形成するアルキレン基、シクロアルキレン基、アラルキレン基又はフェニレン基であってもよい。Ｒ6 、Ｒ7 は各々水素原子、アルキル基、アリール基を表す。Ｒ8、Ｒ9 は各々水素原子、アルキル基、アルコキシ基またはハロゲン原子を表す。Ｘは酸素原子または硫黄原子を表す。Ｙ1 、Ｙ2 、Ｙ3 、Ｙ4 のうち１つまたは２つは＝Ｎ−を表し、他は＝ＣＨ−を表す。
【請求項２】
電子供与性無色染料と電子受容性化合物を使用した記録材料において、一般式（Ｉ）で表されるインドリルアザフタリド化合物を少なくとも１種以上含むことを特徴とする記録材料。
一般式（Ｉ）
【化２】
0003739837.tif 000026
上式中Ｒ1 、Ｒ2 は各々同一でも異なっていてもよく、水素原子、アルキル基、シクロアルキル基、アラルキル基またはアリール基を表す。但し、Ｒ1 とＲ2が同時に水素原子を表すことはない。Ｒ3 は、ＯＲ4 またはＮＨＲ5 を表し、このうちＲ4 はアルキル基、シクロアルキル基、アラルキル基またはアリール基を、Ｒ5 はアルキル基、シクロアルキル基、アラルキル基、アリール基またはアシル基を表す。Ｒ4 及びＲ5 は、アルキル基、アルコキシ基またはハロゲン原子で置換されていてもよい。また、Ｒ4 及びＲ5 は、２分子のインドリルアザフタリド化合物を連結したビス型構造を形成するアルキレン基、シクロアルキレン基、アラルキレン基又はフェニレン基であってもよい。Ｒ6 、Ｒ7 は各々水素原子、アルキル基、アリール基を表す。Ｒ8、Ｒ9 は各々水素原子、アルキル基、アルコキシ基またはハロゲン原子を表す。Ｘは酸素原子または硫黄原子を表す。Ｙ1 、Ｙ2 、Ｙ3 、Ｙ4 のうち１つまたは２つは＝Ｎ−を表し、他は＝ＣＨ−を表す。
【発明の詳細な説明】
【０００１】
【発明の属する技術分野】
本発明は、新規なインドリルアザフタリド化合物および該インドリルアザフタリド化合物を使用した記録材料に関するものである。本発明のインドリルアザフタリド化合物は、電子供与性無色染料と電子受容性化合物を使用した記録材料、特に感圧記録材料、感熱記録材料等の記録材料用電子供与性無色染料として有用である。また、本発明の記録材料は良好な濃度の青からシアン色の画像を与え、画像部の光や熱に対する堅牢性が良好である。また、白地部の光ステインが少ない。
【０００２】
【従来の技術】
電子供与性無色染料と電子受容性化合物を使用した記録材料は、感圧紙、感熱紙、感光感圧紙、通電感熱記録紙、感熱転写紙等として既によく知られている。たとえば英国特許２１４０４４９、米国特許４４８００５２、同４４３６９２０、特公昭６０−２３９９２、特開昭５７−１７９８３６、同６０−１２３５５６、同６０−１２３５５７などに詳しい。
記録材料として、近年、画像濃度、画像部の堅牢性および白地部の堅牢性などの特性改良に対する研究が鋭意行われている。
青からシアン色の画像を与える電子供与性無色染料としてトリフェニルメタンフタリド系化合物、フェノチアジン系化合物、インドリルフタリド系化合物など各種種々のものが知られている。
インドリルフタリド系化合物のうちフタリド部のベンゼン環の炭素原子が窒素原子で置換された所謂インドリルアザフタリド系化合物の例は幾つか知られている。具体的には特公昭６１−４８５６、特開昭６１−１６８６６４、特開昭６１−２９１６５４、特開昭６２−２７０６６２などに詳しく記載されている。これらのものは良好な濃度の青からシアン色の画像を与えるが、画像部の光や熱に対する堅牢性が良好で白地部の光ステインが少ないという全ての性能を満足するものはないという問題がある。
【０００３】
本発明者らは、青からシアン色の画像を与える電子供与性無色染料で上記性能を満足する化合物に関して鋭意検討した結果、新規なインドリルアザフタリド系化合物で目的とする性能を満たすものを見出した。
【０００４】
【発明が解決しようとする課題】
本発明は良好な濃度の青からシアン色の画像を与え、画像部の光や熱に対する堅牢性が良好で、白地部の光ステインが少ない電子供与性無色染料およびそれを用いた記録材料を提供することである。
【０００５】
【課題を解決するための手段】
上記課題は、下記一般式（Ｉ）で表されるインドリルアザフタリド化合物および電子供与性無色染料と電子受容性化合物を使用した記録材料において、下記一般式（Ｉ）で表されるインドリルアザフタリド化合物を少なくとも１種以上含むことを特徴とする記録材料により達成された。
一般式（Ｉ）
【０００６】
【化３】
0003739837.tif 000002
【０００７】
上式中Ｒ1 、Ｒ2 は各々同一でも異なっていてもよく、水素原子、アルキル基、シクロアルキル基、アラルキル基またはアリール基を表す。但し、Ｒ1 とＲ2 が同時に水素原子を表すことはない。Ｒ3 は、ＯＲ4 またはＮＨＲ5 を表し、このうちＲ4 はアルキル基、シクロアルキル基、アラルキル基またはアリール基を、Ｒ5 はアルキル基、シクロアルキル基、アラルキル基、アリール基またはアシル基を表す。Ｒ6 、Ｒ7 は各々水素原子、アルキル基、アリール基を表す。Ｒ8 、Ｒ9 は各々水素原子、アルキル基、アルコキシ基またはハロゲン原子を表す。Ｘは酸素原子または硫黄原子を表す。Ｙ1 、Ｙ2 、Ｙ3 、Ｙ4 のうち１つまたは２つは＝Ｎ−を表し、他は＝ＣＨ−を表す。
【０００８】
上記一般式（Ｉ）において、Ｒ1 、Ｒ2 のうち炭素数１から１８のアルキル基、炭素数４から１２のシクロアルキル基、炭素数７から１８のアラルキル基、炭素数６から２０のアリール基が好ましく、特には炭素数１から１２のアルキル基、炭素数５から６のシクロアルキル基、炭素数７から１２のアラルキル基、炭素数６から１２のアリール基が好ましい。これらは更に炭素数１から８のアルキル基、炭素数１から８のアルコキシ基、炭素数６から１０のアリール基、炭素数６から１０のアリールオキシ基、ハロゲン原子などで置換されていてもよい。
【０００９】
Ｒ1 、Ｒ2 として具体的にはメチル基、エチル基、ｎ−プロピル基、ｉ−プロピル基、ｎ−ブチル基、ｉ−ブチル基、ｓｅｃ−ブチル基、ｎ−ペンチル基、ｉ−ペンチル基、ｎ−ヘキシル基、ｎ−オクチル基、２−エチルヘキシル基、ｎ−デシル基、ｎ−ドデシル基、シクロペンチル基、シクロヘキシル基、ベンジル基、２−フェネチル基、１−フェネチル基、フェニル基、ｐ−トリル基、ｐ−メトキシフエニル基、ｐ−クロロフェニル基、２−メトキシエチル基、２−（２−メトキシエトキシ）エチル基、２−フェノキシエチル基、２−フェノキシプロピル基、３−フェノキシプロピル基などが好ましい。
【００１０】
Ｒ1 、Ｒ2 は互いに結合して環状アミノ構造になってもよく、環状アミノとして具体的には１−ピロリジニル基、ピペリジリノ基、モルホリノ基などが好ましい。
【００１１】
上記一般式（Ｉ）において、Ｒ3 がＯＲ4 を表す場合、Ｒ4 は炭素数１から１８のアルキル基、炭素数５から６のシクロアルキル基、炭素数７から１５のアラルキル基、炭素数６から１２のアリール基が好ましく、特には炭素数１から１２のアルキル基、炭素数５から６のシクロアルキル基、炭素数７から１２のアラルキル基、炭素数６から１２のアリール基が好ましい。これらは更にアルコキシ基、ハロゲン原子などで置換されていてもよい。
【００１２】
Ｒ4 として具体的にはメチル基、エチル基、ｎ−プロピル基、ｉ−プロピル基、ｎ−ブチル基、ｉ−ブチル基、ｓｅｃ−ブチル基、ｎ−ペンチル基、ｉ−ペンチル基、ｎ−ヘキシル基、ｎ−オクチル基、２−エチルヘキシル基、ｎ−デシル基、ｎ−ドデシル基、シクロペンチル基、シクロヘキシル基、ベンジル基、２−フェネチル基、１−フェネチル基、フェニル基、ｐ−トリル基、クロロメチル基、ジクロロメチル基、トリクロロメチル基などが好ましい。
【００１３】
上記一般式（Ｉ）において、Ｒ3 がＮＨＲ5 を表す場合、Ｒ5 は炭素数１から１８のアルキル基、炭素数５から６のシクロアルキル基、炭素数７から１５のアラルキル基、炭素数６から１２のアリール基、炭素数１から１８のアシル基が好ましく、特には炭素数１から１２のアルキル基、炭素数５から６のシクロアルキル基、炭素数７から１２のアラルキル基、炭素数６から１２のアリール基、炭素数１から１２のアシル基が好ましい。これらは更にアルコキシ基、ハロゲン原子などで置換されていてもよい。
【００１４】
Ｒ5 として具体的にはメチル基、エチル基、ｎ−プロピル基、ｉ−プロピル基、ｎ−ブチル基、ｉ−ブチル基、ｓｅｃ−ブチル基、ｎ−ペンチル基、ｉ−ペンチル基、ｎ−ヘキシル基、ｎ−オクチル基、２−エチルヘキシル基、ｎ−デシル基、ｎ−ドデシル基、シクロペンチル基、シクロヘキシル基、ベンジル基、２−フェネチル基、１−フェネチル基、フェニル基、ｐ−トリル基、ホルミル基、アセチル基、プロピオニル基、ブチリル基、ベンゾイル基などが好ましい。
【００１５】
Ｒ4 、Ｒ5 はアルキレン基、シクロアルキレン基、アラルキレン基、フェニレン基のような２価の連結基として２分子のインドリルアザフタリド化合物を連結したビス型構造を形成する基であってもよく、この場合の２価の連結基としてはエチレン基、プロピレン基、ブチレン基、オクチレン基、シクロヘキシレン基、キシリレン基、メチルキシリレン基、フェニレン基が好ましい。
【００１６】
上記一般式（Ｉ）において、Ｒ6 のうち水素原子、炭素数１から４のアルキル基、炭素数６から１０のアリール基が好ましく、特には水素原子、メチル基、フェニル基が好ましい。フエニル基は置換されていてもよい。
【００１７】
上記一般式（Ｉ）において、Ｒ7 のうち水素原子、炭素数１から１８のアルキル基、炭素数６から１５のアリール基が好ましく、特には炭素数１から１２のアルキル基、炭素数６から１０のアリール基が好ましい。これらは更に炭素数１から８のアルキル基、炭素数１から８のアルコキシ基、炭素数６から１０のアリール基、炭素数６から１０のアリールオキシ基、ハロゲン原子などで置換されていてもよい。
【００１８】
Ｒ7 として具体的には水素原子、メチル基、エチル基、ｎ−プロピル基、ｉ−プロピル基、ｎ−ブチル基、ｉ−ブチル基、ｓｅｃ−ブチル基、ｎ−ペンチル基、ｉ−ペンチル基、ｎ−ヘキシル基、ｎ−オクチル基、２−エチルヘキシル基、ｎ−デシル基、ｎ−ドデシル基、シクロペンチル基、シクロヘキシル基、ベンジル基、２−フェネチル基、１−フェネチル基、フェニル基、ｐ−トリル基、ｐ−メトキシフエニル基、ｐ−クロロフェニル基、２−メトキシエチル基、２−（２−メトキシエトキシ）エチル基、２−フェノキシエチル基、２−フェノキシプロピル基、３−フェノキシプロピル基、２−クロロエチル基などが好ましい。
【００１９】
上記一般式（Ｉ）において、Ｒ8 、Ｒ9 のうち水素原子、炭素数１から４のアルキル基、炭素数１から４のアルコキシ基、塩素原子が好ましく、特には水素原子、メチル基、ｉ−プロピル基、メトキシ基、エトキシ基、塩素原子が好ましい。
【００２０】
上記一般式（Ｉ）において、Ｘのうち特に酸素原子が好ましい。
【００２１】
上記一般式（Ｉ）において、Ｙ1 、Ｙ2 、Ｙ3 、Ｙ4 の２つが＝Ｎ−を表す場合、Ｙ1 とＹ4 が＝Ｎ−であることが好ましい。
【００２２】
上記一般式（Ｉ）において、Ｙ1 、Ｙ2 、Ｙ3 、Ｙ4 が＝ＣＨ−を表す場合、任意の＝ＣＨ−の水素原子はアルキル基、アリール基、ハロゲン原子で置換されていてもよく、置換基としては特にメチル基、エチル基、フェニル基が好ましい。
【００２３】
次に本発明に係るインドリルアザフタリド化合物の具体的な化合物を例示するが、本発明はこれにより限定されるものではない。
【００２４】
【化４】
0003739837.tif 000003
【００２５】
【化５】
0003739837.tif 000004
【００２６】
【化６】
0003739837.tif 000005
【００２７】
【化７】
0003739837.tif 000006
【００２８】
【化８】
0003739837.tif 000007
【００２９】
【化９】
0003739837.tif 000008
【００３０】
【化１０】
0003739837.tif 000009
【００３１】
【化１１】
0003739837.tif 000010
【００３２】
【化１２】
0003739837.tif 000011
【００３３】
【化１３】
0003739837.tif 000012
【００３４】
【化１４】
0003739837.tif 000013
【００３５】
【化１５】
0003739837.tif 000014
【００３６】
【化１６】
0003739837.tif 000015
【００３７】
【化１７】
0003739837.tif 000016
【００３８】
【化１８】
0003739837.tif 000017
【００３９】
【化１９】
0003739837.tif 000018
【００４０】
【化２０】
0003739837.tif 000019
【００４１】
【化２１】
0003739837.tif 000020
【００４２】
【化２２】
0003739837.tif 000021
【００４３】
【化２３】
0003739837.tif 000022
【００４４】
本発明に係るインドリルアザフタリド化合物は製造時に副生する異性体混合物でもよい。例えば、４−アザフタリド体（Ｙ1 ：＝Ｎ−、Ｙ2 ＝Ｙ3 ＝Ｙ4 ：＝ＣＨ−）と７−アザフタリド体（Ｙ1 ＝Ｙ2 ＝Ｙ3 ：＝ＣＨ−、Ｙ4 ：＝Ｎ−）の混合物や５−アザフタリド体（Ｙ1 ＝Ｙ3 ＝Ｙ4 ：＝ＣＨ−、Ｙ2 ：＝Ｎ−）と６−アザフタリド体（Ｙ1 ＝Ｙ2 ＝Ｙ4 ：＝ＣＨ−、Ｙ3 ：＝Ｎ−）の混合物であってもよい。
【００４５】
本発明に係るインドリルアザフタリド化合物は単独で用いても２種類以上を併用して用いてもよい。例えば、２種類以上の４−アザフタリド体を併用してもよく、４−アザフタリド体１種類と６−アザフタリド体１種類とを併用してもよい。
【００４６】
本発明に係るインドリルアザフタリド化合物は従来より公知のトリフェニルメタンフタリド系化合物、フルオラン系化合物、フェノチアジン系化合物、インドリルフタリド系化合物、ロイコオーラミン系化合物、ローダミンラクタム系化合物、トリフェニルメタン系化合物、トリアゼン系化合物、スピロピラン系化合物、フルオレン系化合物など各種の化合物と併用することができる。フタリド類の具体例は米国再発行特許明細書第２３，０２４号、米国特許明細書第３，４９１，１１１号、同第３，４９１，１１２号、同第３，４９１，１１６号および同第３，５０９，１７４号、フルオラン類の具体例は米国特許明細書第３，６２４，１０７号、同第３，６２７，７８７号、同第３，６４１，０１１号、同第３，４６２，８２８号、同第３，６８１，３９０号、同第３，９２０，５１０号、同第３，９５９，５７１号、スピロジピラン類の具体例は米国特許明細書第３，９７１，８０８号、ピリジン系およびピラジン系化合物類は米国特許明細書第３，７７５，４２４号、同第３，８５３，８６９号、同第４，２４６，３１８号、フルオレン系化合物の具体例は特開昭６３−９４８７８号等に記載されている。
【００４７】
本発明に係る電子供与性無色染料の塗布量は特には限定されないが、０．１〜２．０ｇ／ｍ2 、特には０．２〜１．５ｇ／ｍ2 が好ましい。
【００４８】
本発明の記録材料に用いられる電子受容性化合物としては、フェノール誘導体、サリチル酸誘導体、芳香族カルボン酸の金属塩、酸性白土、ベントナイト、ノボラック樹脂、金属処理ノボラック樹脂、金属錯体などが挙げられる。
これらの例は特公昭４０−９３０９号、特公昭４５−１４０３９号、特開昭５２−１４０４８３号、特開昭４８−５１５１０号、特開昭５７−２１０８８６号、特開昭５８−８７０８９号、特開昭５９−１１２８６号、特開昭６０−１７６７９５号、特開昭６１−９５９８８号等に記載されている。
【００４９】
使用される電子供与性無色染料と電子受容性化合物の比は、重量比で１：１０から１：１の間が好ましく、さらには１：５から２：３の間が特に好ましい。
【００５０】
本発明に係るインドリルアザフタリド化合物は従来より公知の紫外線吸収剤、蛍光増白剤、酸化防止剤と併用してもよい。
【００５１】
併用できる紫外線吸収剤として好ましいものは、ベンゾフエノン系紫外線吸収剤、ベンゾトリアゾール系紫外線吸収剤、サリチル酸系紫外線吸収剤、シアノアクリレート系紫外線吸収剤、オキザリックアシッドアニリド系紫外線吸収剤などが挙げられる。これらの例は特開昭４７−１０５３７号、同５８−１１１９４２号、同５８−２１２８４４号、同５９−１９９４５号、同５９−４６６４６号、同５９−１０９０５５号、同６３−５３５４４号、特公昭３６−１０４６６号、同４２−２６１８７号、同４８−３０４９２号、同４８−３１２５５号、同４８−４１５７２号、同４８−５４９６５号、同５０−１０７２６号、米国特許２，７１９，０８６号、同３，７０７，３７５号、同３，７５４，９１９号、同４，２２０，７１１号などに記載されている。
【００５２】
併用できる蛍光増白剤として好ましいものは、クマリン系蛍光増白剤などが挙げられる。これらの例は特公昭４５−４６９９号、同５４−５３２４号などに記載されている。
【００５３】
併用できる酸化防止剤として好ましいものは、ヒンダードアミン系酸化防止剤、ヒンダードフエノール系酸化防止剤、アニリン系酸化防止剤、キノリン系酸化防止剤などが挙げられる。これらの例は特開昭５９−１５５０９０号、同６０−１０７３８３号、同６０−１０７３８４号、同６１−１３７７７０、同６１−１３９４８１号、同６１−１６０２８７などに記載されている。
【００５４】
併用できる紫外線吸収剤、蛍光増白剤、酸化防止剤の使用量としては０．０５〜１．０ｇ／ｍ2 、特には０．１〜０．４ｇ／ｍ2 が好ましい。
【００５５】
本発明の記録材料を感圧紙に用いる場合には、米国特許第２，５０５，４７０号、同２，５０５，４７１号、同２，５０５，４８９号、同２，５４８，３６６号、同２，７１２，５０７号、同２，７３０，４５６号、同２，７３０，４５７号、同３，１０３，４０４号、同３，４１８，２５０号、同４，０１０，０３８号などの先行特許に記載されているように種々の形態をとりうる。最も一般的には電子供与性無色染料および電子受容性化合物を別々に含有する少なくとも一対のシ−トから成る。
【００５６】
カプセルの製造方法については、米国特許２，８００，４５７号、同２，８００，４５８号に記載された親水性コロイドゾルのコアセルベーションを利用した方法、米国特許３，２８７，１５４号、英国特許８６７，７９７号、同９５０，４４３号、同９８９，２６４号、同９９０，４４３号、同１，０９１，０７６号、特公昭３８−１９５７４号、同４２−４４６号、同４２−７７１号などに記載された界面重合法、米国特許３，４１８，２５０号、同３，６６０，３０４号に記載されたポリマーの析出による方法、米国特許３，４１８，２５０号に記載されたイソシアネートポリオール壁材料を用いる方法、米国特許３，９１４，５１１号に記載されたイソシアネート壁材料を用いる方法、米国特許４，００１，１４０号、同４，０８７，３７６号、同４，０８９，８０２号に記載された尿素−ホルムアルデヒド系、尿素ホルムアルデヒド−レゾルシノール系壁材料を用いるメラミン−ホルムアルデヒド樹脂、ヒドロキシプロピルピルセルロース等の壁形成材料を用いる方法、特公昭３６−９１６８号、特開昭５１−９０７９号に記載されたモノマーの重合によるｉｎ−ｓｉｔｕ方、英国特許９５２，８０７号、同９６５，０７４号に記載された電解分散冷却法、米国特許３，１１１，４０７号、英国特許９３０，４２２号に記載されたスプレードライング法などがある。これらに限定されるものではないが、芯物質を乳化した後マイクロカプセル壁として高分子膜を形成することが好ましい。
【００５７】
一般的には、電子供与性無色染料を、溶媒（アルキル化ナフタレン、アルキル化ジフェニル、アルキル化ジフェニルメタン、アルキル化ターフェニル、塩素化パラフィンなどの合成油：木綿油、ヒマシ油などの植物油：動物油：鉱物油あるいはこれらの混合物など）に溶解し、これをマイクロカプセル中に含有させ、紙、上質紙、プラスチックシート、樹脂コートテッド紙などに塗布することにより発色剤シートをうる。
また電子受容性化合物および必要に応じて添加剤を単独又は混合して、スチレンブタジエンラテックス、ポリビニールアルコールの如きバインダー中に分散させ、顔料とともに紙、プラスチックシート、樹脂コートテッド紙などの支持体に塗布することにより顕色剤シートを得る。
【００５８】
バインダーとしてはカルボキシ変性スチレンブタジエンラテックスと水溶性高分子を併用することが、耐光性、耐水性の点から好ましい。また顔料としては平均粒径５．０μ以下の炭酸カルシウムを、全顔料の６０重量％以上用いるのが、顕色能の点から好ましい。
電子供与性無色染料および電子受容性化合物の使用量は所望の塗布厚、感圧記録紙の形態、カプセルの製法、その他の条件によるのでその条件に応じて適宜選べばよい。当業者がこの使用量を決定することは容易である。
【００５９】
感熱紙に用いる場合には、特開昭６２−１４４，９８９号、特開平１−８７２９１号明細書等に記載されているような形態をとる。具体的には，電子供与性無色染料および電子受容性化合物は分散媒中で１０μ以下、好ましくは３μ以下の粒径まで粉砕分散して用いる。分散媒としては、一般に０．５ないし１０％程度の濃度の水溶高分子水溶液が用いられ分散はボールミル、サンドミル、横型サンドミル、アトライタ、コロイダルミル等を用いて行われる。
【００６０】
その際、熱応答性を改良するために熱可融性物質を感熱発色層に含有させることができる。熱可融性物質としては、芳香族エーテル、チオエーテル、エステル及び又は脂肪族アミド又はウレイドなどがその代表である。
これらの例は特開昭５８−５７９８９号、同５８−８７０９４号、同６１−５８７８９号、同６２−１０９６８１号、同６２−１３２６７４号、同６３−１５１４７８号、同６３−２３５９６１号、特開平２−１８４４８９号、同２−２１５５８５号などに記載されている。
【００６１】
これらは電子供与性無色染料と同時又は電子受容性化合物と同時に微分散して用いられる。これらの使用量、電子受容性化合物に対して、２０％以上３００％以下の重量比で添加され、特に４０％以上１５０％以下が好ましい。
このようにして得られた塗液には、さらに種々の要求を満たす為に必要に応じて添加剤が加えられる。添加剤の例としては記録時の記録ヘッドの汚れを防止するために、バインダー中に無機顔料、ポリウレアフィラー等の吸油性物質を分散させておくことが行われ、さらにヘッドに対する離型性を高めるために脂肪酸、金属石鹸などが添加される。したがって一般には、発色に直接寄与する電子供与性無色染料、電子受容性化合物の他に、熱可融性物質、顔料、ワックス、帯電防止剤、紫外線吸収剤、消泡剤、導電剤、蛍光染料、界面活性剤などの添加剤が支持体上に塗布され、記録材料が構成されることになる。さらに必要に応じて感熱記録層の表面に保護層を設けてもよい。
【００６２】
通常、電子供与性無色染料及び電子受容性化合物は、バインダー中に分散して塗布される。バインダーとしては水溶性のものが一般的であり、ポリビニルアルコ−ル、ヒドロキシエチルセルロース、ヒドロキシプロピルセルロース、エピクロルヒドリン変性ポリアミド、エチレン−無水マレイン酸共重合体、スチレン−無水マレイン酸共重合体、イソブチレン−無水マレインサリチル酸共重合体、ポリアクリル酸、ポリアクリル酸アミド、メチロール変性ポリアクリルアミド、デンプン誘導体、カゼイン、ゼラチン等があげられる。またこれらのバインダーに耐水性を付与する目的で耐水化剤を加えたり、疎水性ポリマーのエマルジョン、具体的には、スチレン−ブタジエンゴムラテックス、アクリル樹脂エマルジョン等を加えることもできる。これらの使用量としては、０．４〜５ｇ／ｍ2 が好ましく、さらには０．８〜１．６ｇ／ｍ2 が好ましい。
【００６３】
得られた感熱塗液は、上質紙、下塗り層を有する上質紙、合成紙、プラスチックフィルム等に塗布される。この際ＪＩＳ−８１１９で規定される平滑度が５００秒以上特に８００秒以上の支持体を用いるのがドット再現性の点から特に好ましい。
【００６４】
本発明の記録材料においてはその必要に応じて、公知のワックス、帯電防止剤、消泡剤、導電剤、蛍光染料、界面活性剤、紫外線吸収剤プリカーサーなど各種添加剤を使用することができる。
【００６５】
本発明の記録材料には必要に応じて記録層の表面に保護層を設けてもよい。保護層は必要に応じて二層以上積層してもよい。保護層に用いる材料としては、ポリビニルアルコール、カルボキシ変性ポリビニルアルコール、酢酸ビニル−アクリルアミド共重合体、珪素変性ポリビニルアルコール、澱粉、変性澱粉、メチルセルロース、カルボキシメチルセルロース、ヒドロキシメチルセルロース、ゼラチン類、アラビアゴム、カゼイン、スチレン−マレイン酸共重合体加水分解物、スチレン−マレイン酸共重合物ハーフエステル加水分解物、イソブチレン−無水マレイン酸共重合体加水分解物、ポリアクリルアミド誘導体、ポリビニルピロリドン、ポリスチレンスルホン酸ソーダ、アルギン酸ソーダなどの水溶性高分子化合物、及びスチレン−ブタジエンゴムラテックス、アクリロニトリル−ブタジエンゴムラテックス、アクリル酸メチル−ブタジエンゴムラテックス、酢酸ビニルエマルジョン等のラテックス類が用いられる。保護層の水溶性高分子化合物を架橋してより一層保存安定性を向上させることもでき、その架橋剤としては公知の架橋剤を使用することができる。具体的にはＮ−メチロール尿素、Ｎ−メチロールメラミン、尿素−ホルマリン等の水溶性初期縮合物、グリオキザール、グルタルアルデヒド等のジアルデヒド化合物類、硼酸、硼砂等の無機系架橋剤、ポリアミドエピクロルヒドリンなどが挙げられる。保護層には、さらに公知の顔料、金属石鹸、ワックス、界面活性剤などを使用することもできる。保護層の塗布量は０．２〜５ｇ／ｍ2 が好ましく、さらには０．５〜２ｇ／ｍ2 が好ましい。またその膜厚は０．２〜５μｍが好ましく、特に０．５〜２μｍが好ましい。
【００６６】
本発明の記録材料に保護層を使用する場合、保護層中に公知のＵＶ吸収剤やその前駆体を含有してもよい。
【００６７】
本発明の記録材料に使用できる支持体としては、酸性紙、中性紙、コート紙、プラスチックフィルムラミネート紙、合成紙、プラスチックフィルムなどを使用することができる。さらにこれら支持体に公知の下塗り層を設けてもよい。この下塗り層は上記保護層と同様にして設けることができる。
【００６８】
支持体のカールバランスを補正するため或いは、裏面からの耐薬品性を向上させる目的で、バックコート層を設けてもよく、また裏面に接着剤層を介して剥離紙を組み合わせてラベルの形態にしてもよい。このバックコート層についても上記保護層と同様にして設けることができる。
【００６９】
本発明のインドリルアザフタリド化合物を米国特許４，３９９，２０９号、同４，５５１，４０７号、同４，４４０，８４６号、同４，５３６，４６３号、特開昭６３−１８４７３８号、同５８−８８７３９号、同６２−１４３０４４号、特開平２−１８８２９３号、同２−１８８２９４号、３−７２３５８号、同３−８７８２７号、同４−２２６４５５号、同４−２４７９８５号、同５−１２４３６０号、同５−２９４０６３号等に記載の種々の記録材料に応用することができる。
【００７０】
本発明のインドリルアザフタリド化合物を感熱記録材料、特に多色感熱記録材料に使用することができる。この多色感熱記録材料（感光感熱記録材料）については、特開平４−１３５７８７号公報、同４−１４４７８４号公報、同４−１４４７８５号公報、同４−１９４８４２号公報、同４−２４７４４７号公報、同４−２４７４４８号公報、同４−３４０５４０号公報、同４−３４０５４１号、同５−３４８６０号等に記載されている。具体的には異なる色相に発色する感熱記録層を積層することにより得ることができる。層構成としては特に限定されるものではないが、特に感光波長が異なる２種のジアゾニウム塩化合物をそれぞれのジアゾニウム塩化合物と熱時反応して異なった色相に発色するカプラーを組み合わせた感熱記録層２層と、電子供与性無色染料と電子受容性化合物とを組み合わせた感熱記録層とを積層した多色感熱記録材料が好ましい。すなわち、支持体上に電子供与性無色染料と電子受容性化合物を含む第１の感熱記録層、極大吸収波長３６０ｎｍ±２０ｎｍであるジアゾニウム塩化合物と該ジアゾニウム塩化合物と熱時反応して呈色するカプラーを含有する第２の感熱記録層、極大吸収波長４００±２０ｎｍであるジアゾニウム塩化合物と該ジアゾニウム塩化合物と熱時反応して呈色するカプラーを含有する第３の感熱記録層とするものである。この例において、各感熱記録層の発色色相を減色混合における３原色、イエロー、マゼンタ、シアンとなるように選んでおけば、フルカラーの画像記録が可能となる。
【００７１】
この多色感熱記録材料の記録方法は、まず第３の感熱記録層を加熱し、該層に含まれるジアゾニウム塩とカプラーとを発色させる。次に４００±２０ｎｍの光を照射して第３の感熱記録層中に含まれている未反応のジアゾニウム塩化合物を分解させたのち、第２の感熱記録層が発色するに十分な熱を与え、該層に含まれているジアゾニウム塩化合物とカプラーとを発色させる。このとき第３の感熱記録層も同時に強く加熱されるが、すでにジアゾニウム塩化合物は分解しており発色能力が失われているので発色しない。さらに３６０±２０ｎｍの光を照射して第２の感熱記録層に含まれているジアゾニウム塩化合物を分解して、最後に第１の感熱記録層が発色する十分な熱を与えて発色させる。このとき第３、第２の感熱記録層も同時に強く加熱されるが、すでにジアゾニウム塩化合物は分解しており発色能力が失われているので発色しない。
【００７２】
本発明の記録材料を多色感熱記録材料とした場合には感熱記録層相互の混色を防ぐため、中間層を設けることもできる。この中間層はゼラチン、フタル化ゼラチン、ポリビニルアルコール、ポリビニルピロリドンなどの水溶性高分子化合物からなり、適宜各種添加剤を含んでいてもよい。塗布量は２〜１０ｇ／ｍ2 が好ましく、さらには４〜５ｇ／ｍ2 が好ましい。またその膜厚は０．５〜１０μｍが好ましい。
【００７３】
以下に発明の実施例を示すが、本発明はこれに限定されるものではない。実施例においてとくに指定のないかぎり重量％をあらわす。
【００７４】
【実施例】
以下に実施例を示すが本発明はこれに限定されるものではない。実施例において特に指定のない限り％は重量％を表す。
〔実施例１〕
本発明化合物９６の合成
Ｎ，Ｎ−ジ−ｎ−プロピル−Ｎ′−ｎ−プロピルオキシカルボニル−ｍ−フェニレンジアミン２７．８ｇと（１−エチル−２−メチルインドール−３−イル）（３−カルボキシピリジン−２−イル）ケトン３０．８ｇを無水酢酸３８ｍｌ中、５０〜５５℃で３〜４時間攪拌した。この反応溶液を１０℃に冷却し、析出した結晶をろ過した。得られた結晶を酢酸エチル−アセトンより再結晶し、本発明化合物９６を淡黄色結晶として４５．１ｇ得た。
1Ｈ−ＮＭＲ（ＣＤＣｌ3 ）  δ（ＴＭＳ，ｐｐｍ）  ０．５９（３Ｈ，ｔ），０．９２（６Ｈ，ｔ），１．２１（２Ｈ，ｑｎ），１．２９（３Ｈ，ｔ），１．６１（４Ｈ，ｑｎ），２．０１（３Ｈ，ｓ），３．２４（４Ｈ，ｔ），３．６２（２Ｈ，ｔ），４．０７（２Ｈ，ｑｒ），６．１５（１Ｈ，ｄ），６．３８（１Ｈ，ｄｄ），６．７９（１Ｈ，ｔ），６．９８（１Ｈ，ｂｒ−ｓ），７．０４（１Ｈ，ｔ），７．２２（１Ｈ，ｄ），７．４２（１Ｈ，ｄ），７．５４（１Ｈ，ｄｄ），８．２７（１Ｈ，ｄｄ），８．７６（１Ｈ，ｂｒ−ｓ），８．８６（１Ｈ，ｄｄ）
【００７５】
〔実施例２〜１２〕
種々のｍ−フェニレンジアミン化合物とピリジンカルボン酸を実施例１と同様に反応して、本発明化合物１３８（実施例２）、５９（実施例３）、１０３（実施例４）、６８（実施例５）、２２（実施例６）、１４２（実施例７）、１１６（実施例８）、７３（実施例９）、１２６（実施例１０）、８９（実施例１１）、１（実施例１２）を合成した。それぞれの物性値を示す。
【００７６】
本発明化合物１３８（実施例２）
1Ｈ−ＮＭＲ（ＣＤＣｌ3 ）  δ（ＴＭＳ，ｐｐｍ）  ０．５９（３Ｈ，ｔ），０．８４−０．９３（９Ｈ，ｍ），１．１６−１．３９（１２Ｈ，ｑｎ），１．６２（６Ｈ，ｑｎ），１．９９（３Ｈ，ｓ），３．２２（４Ｈ，ｔ），３．６２（２Ｈ，ｔ），３．９４（２Ｈ，ｔ），６．１５（１Ｈ，ｄ），６．３８（１Ｈ，ｄｄ），６．７８（１Ｈ，ｔ），６．９８（１Ｈ，ｂｒ−ｓ），７．０２（１Ｈ，ｔ），７．１８（１Ｈ，ｄ），７．４１（１Ｈ，ｄ），７．５３（１Ｈ，ｄｄ），８．２８（１Ｈ，ｄｄ），８．７４（１Ｈ，ｂｒ−ｓ），８．８８（１Ｈ，ｄｄ）
【００７７】
本発明化合物５９（実施例３）
1Ｈ−ＮＭＲ（ＣＤＣｌ3 ）  δ（ＴＭＳ，ｐｐｍ）  ０．５９（３Ｈ，ｔ），０．８８（３Ｈ，ｔ），１．１６（６Ｈ，ｔ），１．１６−１．３９（１２Ｈ，ｍ），１．６２（２Ｈ，ｍ），１．９９（３Ｈ，ｓ），３．３４（４Ｈ，ｑｒ），３．６２（２Ｈ，ｔ），３．９６（２Ｈ，ｔ），６．１５（１Ｈ，ｄ），６．４１（１Ｈ，ｄｄ），６．７８（１Ｈ，ｔ），７．００−７．０６（２Ｈ，ｍ），７．１９（１Ｈ，ｄ），７．４２（１Ｈ，ｄ），７．５４（１Ｈ，ｄｄ），８．２８（１Ｈ，ｄｄ），８．７７（１Ｈ，ｂｒ−ｓ），８．８８（１Ｈ，ｄｄ）
【００７８】
本発明化合物１０３（実施例４）
1Ｈ−ＮＭＲ（ａｃｅｔｏｎ−ｄ６）  δ（ＴＭＳ，ｐｐｍ）  ０．７６（３Ｈ，ｔ），０．９１（６Ｈ，ｔ），１．０３−１．０７（４Ｈ，ｍ），１．２４（３Ｈ，ｔ），１．６２（４Ｈ，ｑｎ），１．９８（３Ｈ，ｓ），２．５７−２．７７（２Ｈ，ｍ），３．２８（４Ｈ，ｔ），４．１６（２Ｈ，ｑｒ），４．８８（１Ｈ，ｍ），６．２１（１Ｈ，ｍ），６．４２（１Ｈ，ｄｄ），６．７３（１Ｈ，ｔ），７．０１（１Ｈ，ｔ），７．１４（１Ｈ，ｄ），７．２９（１Ｈ，ｄ），７．３６（１Ｈ，ｄ），７．７６（１Ｈ，ｄｄ），８．３３（１Ｈ，ｂｒ−ｓ），８．４１（１Ｈ，ｄｄ），８．９４（１Ｈ，ｄｄ）
【００７９】
本発明化合物６８（実施例５）
1Ｈ−ＮＭＲ（ａｃｅｔｏｎ−ｄ６）  δ（ＴＭＳ，ｐｐｍ）  ０．７９（３Ｈ，ｔ），０．８８（３Ｈ，ｔ），１．０５−１．１２（４Ｈ，ｍ），１．１７（６Ｈ，ｔ），１．２７−１．４４（１０Ｈ，ｍ），１．７１（２Ｈ，ｑｎ），２．０２（３Ｈ，ｓ），２．６３−２．７９（２Ｈ，ｍ），３．３９（４Ｈ，ｑｒ），４．１３（２Ｈ，ｑｒ），４．９８（１Ｈ，ｍ），６．２４（１Ｈ，ｍ），６．４７（１Ｈ，ｄｄ），６．７５（１Ｈ，ｔ），７．０４（１Ｈ，ｔ），７．２２（１Ｈ，ｄ），７．２９（１Ｈ，ｄ），７．３６（１Ｈ，ｄ），７．７８（１Ｈ，ｄｄ），８．３３（１Ｈ，ｂｒ−ｓ），８．４２（１Ｈ，ｄｄ），８．９４（１Ｈ，ｄｄ）
【００８０】
本発明化合物２２（実施例６）
1Ｈ−ＮＭＲ（ＤＭＳＯ−ｄ６）  δ（ＴＭＳ，ｐｐｍ）  ０．９６（３Ｈ，ｔ），１．０９（６Ｈ，ｔ），１．９８（３Ｈ，ｓ），３．３２（４Ｈ，ｑｒ），３．９８（２Ｈ，ｑｒ），６．３６（１Ｈ，ｍ），６．４４（１Ｈ，ｄｄ），６．７４（１Ｈ，ｔ），６．８０（１Ｈ，ｄ），６．８５（１Ｈ，ｔ），６．９５（１Ｈ，ｔ），７．０１（２Ｈ，ｄ），７．０７−７．１４（３Ｈ，ｍ），７．２２（１Ｈ，ｄ），７．７３（１Ｈ，ｄｄ），８．１２（１Ｈ，ｂｒ−ｓ），８．４６（１Ｈ，ｄｄ），８．５３（１Ｈ，ｂｒ−ｓ），８．９２（１Ｈ，ｄｄ）
【００８１】
本発明化合物１４２（実施例７）
1Ｈ−ＮＭＲ（ＣＤＣｌ3 ）  δ（ＴＭＳ，ｐｐｍ）  ０．７８（３Ｈ，ｔ），０．９１（９Ｈ，ｍ），０．９９（４Ｈ，ｍ），１．２３−１．３８（１０Ｈ，ｍ），１．５４−１．７２（６Ｈ，ｍ），１．９６（３Ｈ，ｓ），２．３７−２．５０（１Ｈ，ｍ），２．６０−２．７１（１Ｈ，ｍ），３．２３（４Ｈ，ｔ），３．４２（１Ｈ，ｍ），３．９８（２Ｈ，ｑｒ），６．３９（２Ｈ，ｍ），６．８１（１Ｈ，ｔ），６．９６（１Ｈ，ｄ），７．０５（１Ｈ，ｔ），７．２２（１Ｈ，ｄ），７．４５（１Ｈ，ｄ），７．５５（１Ｈ，ｄｄ），８．２８（２Ｈ，ｍ），８．８６（１Ｈ，ｄｄ）
【００８２】
本発明化合物１１６（実施例８）
1Ｈ−ＮＭＲ（ＣＤＣｌ3 ）  δ（ＴＭＳ，ｐｐｍ）  ０．６０（３Ｈ，ｔ），０．８８（３Ｈ，ｔ），１．１９−１．３８（８Ｈ，ｍ），１．６６（２Ｈ，ｍ），１．９９（３Ｈ，ｓ），２．９８（６Ｈ，ｓ），３．６４（２Ｈ，ｍ），３．９８（２Ｈ，ｔ），６．１６（１Ｈ，ｄ），６．４８（１Ｈ，ｄｄ），６．７８（１Ｈ，ｔ），７．０３（１Ｈ，ｔ），７．１０（１Ｈ，ｄ），７．２０（１Ｈ，ｄ），７．４８（１Ｈ，ｄ），７．５４（１Ｈ，ｄｄ），８．２９（１Ｈ，ｄｄ），８．８０（１Ｈ，ｂｒ−ｓ），８．８６（１Ｈ，ｄｄ）
【００８３】
本発明化合物７３（実施例９）
1Ｈ−ＮＭＲ（ＣＤＣｌ3 ）  δ（ＴＭＳ，ｐｐｍ）  ０．９５（６Ｈ，ｔ），１．２９（３Ｈ，ｔ），１．５４−１．６６（４Ｈ，ｍ），１．９８（３Ｈ，ｓ），３．２０−３．２８（７Ｈ，ｍ），４．０８（２Ｈ，ｍ），６．０６（１Ｈ，ｄ），６．４１（１Ｈ，ｄｄ），６．７８（１Ｈ，ｔ），６．９７（１Ｈ，ｂｒ−ｓ），７．０４（１Ｈ，ｔ），７．２４（１Ｈ，ｄ），７．４６（１Ｈ，ｄ），７．５５（１Ｈ，ｄｄ），８．２９（１Ｈ，ｄｄ），８．８６（１Ｈ，ｄｄ），８．８８（１Ｈ，ｂｒ−ｓ）
【００８４】
本発明化合物１２６（実施例１０）
1Ｈ−ＮＭＲ（ＣＤＣｌ3 ）  δ（ＴＭＳ，ｐｐｍ）  ０．８６−０．９６（９Ｈ，ｍ），１．３３（４Ｈ，ｍ），１．５３−１．７０（６Ｈ，ｍ），１．９８（３Ｈ，ｓ），３．２６（４Ｈ，ｔ），３．２８（３Ｈ，ｓ），３．９８（２Ｈ，ｔ），６．０７（１Ｈ，ｄ），６．３９（１Ｈ，ｄｄ），６．７８（１Ｈ，ｔ），７．０２（１Ｈ，ｂｒ−ｓ），７．０５（１Ｈ，ｔ），７．２２（１Ｈ，ｄ），７．４３（１Ｈ，ｄ），７．５４（１Ｈ，ｄｄ），８．２８（１Ｈ，ｄｄ），８．８４（２Ｈ，ｍ）
【００８５】
本発明化合物８９（実施例１１）
1Ｈ−ＮＭＲ（ＣＤＣｌ3 ）  δ（ＴＭＳ，ｐｐｍ）  ０．８２（３Ｈ，ｔ），０．９２（６Ｈ，ｔ），１．２８（３Ｈ，ｔ），１．５１（４Ｈ，ｑｎ），１．９９（３Ｈ，ｓ），３．２３（４Ｈ，ｔ），３．６３−３．７５（２Ｈ，ｍ），４．０７（２Ｈ，ｑｒ），６．１４（１Ｈ，ｄ），６．４０（１Ｈ，ｄｄ），６．７８（１Ｈ，ｔ），６．９４（１Ｈ，ｂｒ−ｓ），７．０５（１Ｈ，ｔ），７．２２（１Ｈ，ｄ），７．４３（１Ｈ，ｄ），７．５４（１Ｈ，ｄｄ），８．２８（１Ｈ，ｄｄ），８．７６（１Ｈ，ｂｒ−ｓ），８．８７（１Ｈ，ｄｄ）
【００８６】
本発明化合物１（実施例１２）
1Ｈ−ＮＭＲ（ＣＤＣｌ3 ）  δ（ＴＭＳ，ｐｐｍ）  １．１６（６Ｈ，ｔ），１．２８（３Ｈ，ｔ），１．９８（３Ｈ，ｓ），３．２７（３Ｈ，ｓ），３．３５（４Ｈ，ｑｒ），４．０８（２Ｈ，ｍ），６．０４（１Ｈ，ｄ），６．４４（１Ｈ，ｄｄ），６．７８（１Ｈ，ｔ），７．０１（１Ｈ，ｂｒ−ｓ），７．０６（１Ｈ，ｔ），７．２４（１Ｈ，ｄ），７．４７（１Ｈ，ｄ），７．５５（１Ｈ，ｄｄ），８．２９（１Ｈ，ｄｄ），８．８６（１Ｈ，ｄｄ），８．９１（１Ｈ，ｂｒ−ｓ）
【００８７】
〔実施例１３〕
１）電子供与性無色染料含有カプセルシートの調製
ポリビニルベンゼンスルホン酸の一部ナトリウム塩（ナシヨナルスタ−チ社製、ＶＥＲＳＡ、ＴＬ５００）５部を水９５部に溶解する。これに水酸化ナトリウム水溶液を加えてｐＨ４．０とした。一方、電子供与性無色染料（本発明化合物９６）６．８ｇを１５％溶解したジイソプロピルナフタレン１００部を前記ポリビニルベンゼンスルホン酸の一部ナトリウム塩の５％水溶液１００部に乳化分散して直径４．０μの粒子サイズをもつ乳化液を得た。別にメラミン６部、３７重量％ホルムアルデヒド水溶液１１部、水３０部を６０°Ｃに加熱攪拌して透明なメラミンホルムアルデヒド初期重合物の水溶液を得た。この水溶液を上記乳化液と混合した。攪拌しながらリン酸水溶液でｐＨを６．０に調節し、液温を６５°Ｃに上げ６時間攪拌を続けた。このカプセル液を室温まで冷却し水酸化ナトリウム水溶液でｐＨ９．０に調節した。
この分散液に対して１０重量％ポリビニルアルコール水溶液２００部およびデンプン粒子５０部を添加し、加水してマイクロカプセル分散液の固形分濃度２０％溶液を調整した。
この塗液を５０ｇ／ｍ2 の原紙に５ｇ／ｍ2 の固形分が塗布されるようにエアナイフコーターにて塗布、乾燥し電子供与性無色染料含有カプセルシートを得た。
【００８８】
２）電子受容性化合物シ−トの調製
３，５−ビス（α−メチルベンジル）サリチル酸亜鉛１４部、炭酸カルシウム８０部、酸化亜鉛２０部、ヘキサメタリン酸ナトリウム１部と水２００部からなる分散液をサンドグライダ−にて平均粒径３μになるように分散した。この分散液に１０％ＰＶＡ水溶液１００部およびカルボキシ変性ＳＢＲラテックス１０部（固形分として）を添加し、固形分濃度が２０％になるように加水し、塗液を得た。この塗液を５０ｇ／ｍ2 の原紙に５．０ｇ／ｍ2 の固形分が塗布されるようにエアナイフコータ−にて塗布、乾燥し電子受容性化合物シートを得た。
【００８９】
３）画像記録
電子供与性無色染料含有マイクロカプセルシート面を、電子受容性化合物シートに重ね３００ｋｇ／ｃｍ2 の荷重をかけ発色させシアン色の色像を得た。
【００９０】
４）記録紙の性能評価
（発色濃度）
発色部の画像濃度Ｄ0 をマクベス濃度計で測定した。この値が高いほうが、感圧記録紙の感度が高い。
（画像部の耐光性試験）
印字で得られた画像（色像）に対し、キセノンフェードメーター（ＦＡＬ−２５ＡＸ−ＨＣ型、スガ試験機製）により８時間光照射した後の画像濃度Ｄをマクベス反射濃度計で測定した。光堅牢性を光照射後の画像の残存率＝（Ｄ／Ｄ0 ）×１００％を目安として示した。残存率が大きいほど光堅牢性が優れていることを示す。
【００９１】
〔実施例１４〜２７〕
実施例１３の電子供与性無色染料（本発明化合物９６）を本発明化合物１３８（実施例１４）、本発明化合物５９（実施例１５）、本発明化合物例２９（実施例１６）、本発明化合物６８（実施例１７）、本発明化合物例１０３（実施例１８）、本発明化合物１５１（実施例１９）、本発明化合物１６３（実施例２０）、本発明化合物１７２（実施例２１）、本発明化合物例１４２（実施例２２）、本発明化合物１１６（実施例２３）、本発明化合物例７３（実施例２４）、本発明化合物１２６（実施例２５）、本発明化合物８９（実施例２６）、本発明化合物１（実施例２７）にかえた他は、実施例１３と同様にしてマイクロカプセルシートを得た。実施例１３と同様にして画像記録および記録紙の性能評価を行った。
【００９２】
〔比較例１〜３〕
実施例１３の電子供与性無色染料（本発明化合物９６）を３−（４−ジエチルアミノ−２−メチルフェニル）−３−（１−エチル−２−メチルインドール−３−イル）−４−アザフタリド（比較例１）、３−（４−ジエチルアミノ−２−アセトアミドフェニル）−３−（１−エチル−２−メチルインドール−３−イル）−４−アザフタリド（比較例２）、３−（４−ジエチルアミノ−２−エトキシフェニル）−３−（１−ｎ−オクチル−２−メチルインドール−３−イル）−４−アザフタリド（比較例３）に変えた他は、実施例１３と同様にしてマイクロカプセルシートを得た。実施例１３と同様にして画像記録および記録紙の性能評価を行った。
【００９３】
実施例１３〜２７および比較例１〜３の結果を表１に示す。
【００９４】
【表１】
0003739837.tif 000023
【００９５】
〔実施例２８〕
１）電子供与性染料前駆体カプセル液の調製
電子供与性無色染料（本発明化合物例９６）３．０部を酢酸エチル２０部に溶解し、さらに高沸点溶剤であるアルキルナフタレン（ＫＭＣ−２１０、呉羽化学工業社製）２０部を添加して均一に混合した。得られた混合液に、カプセル壁材として、キシリレンジイソシアネート／トリメチロールプロパンの３／１付加物（７５重量％酢酸エチル溶液）（タケネートＤ−１１０Ｎ（武田薬品工業株式会社製））２０部を添加し、均一に攪拌した。
【００９６】
別途、ポリビニルアルコール（重合度１７００、鹸化度８８％）の６％水溶液５４部を用意し、前記の電子供与性染料前駆体を添加した後、ホモジナイザーにて乳化分散した。得られた乳化液に水６８部を加えて均一化した後、攪拌しながら５０℃に昇温し、３時間カプセル化反応を行なわせて目的のカプセル液を得た。カプセルの平均粒子径は１．６μｍであった。
【００９７】
２）電子受容性化合物分散液の調製
電子受容性化合物として、ビスフェノールＡ３０部をポリビニルアルコール４％水溶液１５０部中に加えた後、ボールミルにて２４時間分散して分散液を作製した。得られた分散液中の電子受容性化合物の平均粒径は１．２μｍであった。３）塗布紙の調製および画像記録
上記電子供与性染料前駆体カプセル液、電子受容性化合物分散液を電子供与性染料前駆体／電子受容性化合物のモル比が１／１５となるように混合して、目的の塗布液を調製した。
厚み７５μｍのポリエチレンテレフタレート支持体上に、メイヤーバーで、上述の塗布液を塗布・乾燥して目的の感熱記録材料を得た。
発色濃度は京セラ製印字試験機で印字しシアン色の像を得た。
【００９８】
４）記録紙の性能評価
（発色濃度）
発色部の画像濃度Ｄ0 をマクベス濃度計で測定した。この値が高いほうが、感熱記録紙の感度が高い。
（非画像部、画像部の耐光性試験）
印字で得られた画像（色像）に対し、キセノンフェードメーター（ＦＡＬ−２５ＡＸ−ＨＣ型、スガ試験機製）により２４時間光照射した後の画像濃度Ｄ1 をマクベス反射濃度計で測定した。光堅牢性を光照射後の画像の残存率＝（Ｄ1 ／Ｄ0 ）×１００％を目安として示した。残存率が大きいほど光堅牢性が優れていることを示す。
（画像部の耐熱性評価）
印字した得られた画像を８０℃のオーブンに３日間保管し、保管後の印字部の濃度Ｄ2 を測定した。耐熱性をオーブン保管後の画像の残存率＝（Ｄ2 ／Ｄ0 ）×１００％を目安として示した。残存率が大きい程、耐熱性が良好であることを示す。
【００９９】
〔実施例２９〜４０〕
実施例２８の電子供与性無色染料（本発明化合物９６）を本発明化合物１３８（実施例２９）、本発明化合物５９（実施例３０）、本発明化合物２９（実施例３１）、本発明化合物４８（実施例３２）、本発明化合物７３（実施例３３）、本発明化合物８９（実施例３４）、本発明化合物１０３（実施例３５）、本発明化合物１５１（実施例３６）、本発明化合物１６３（実施例３７）、本発明化合物１４２（実施例３８）、本発明化合物１１６（実施例３９）、本発明化合物１２６（実施例４０）にかえた他は、実施例２８と同様にして感熱記録紙を得た。実施例２８と同様にして画像記録および記録紙の性能評価を行った。
【０１００】
〔比較例４〜６〕
実施例２８の電子供与性無色染料（本発明化合物９６）を３−（４−ジエチルアミノ−２−メチルフェニル）−３−（１−エチル−２−メチルインドール−３−イル）−４−アザフタリド（比較例４）、３−（４−ジエチルアミノ−２−アセトアミドフェニル）−３−（１−エチル−２−メチルインドール−３−イル）−４−アザフタリド（比較例５）、３−（４−ジエチルアミノ−２−エトキシフェニル）−３−（１−ｎ−オクチル−２−メチルインドール−３−イル）−４−アザフタリド（比較例６）に変えた他は、実施例２８と同様にして感熱記録紙を得た。実施例２８と同様にして画像記録および記録紙の性能評価を行った。
【０１０１】
実施例２８〜４０および比較例４〜６の結果を表２に示す。
【０１０２】
【表２】
0003739837.tif 000024
【０１０３】
【発明の効果】
本発明により、良好な濃度の青からシアン色の画像を与え、画像部の光や熱に対する堅牢性が良好で、白地部の光ステインが少ない記録材料を得ることができる。